(57)【要約】【課題】ブラケッティング設定中の電子プレビュー動作において画像確認に十分な時間経過後に露出条件をずらしてブラケッティング効果確認が可能であり、ブラケッティングの各種条件の中で最も撮影意図にあった画像表示中に撮影指示があった場合、その条件で撮影可能なディジタル一眼レフカメラを提供する【解決手段】電子プレビュースイッチ２８がオンすると、ＣＰＵ２１は測光を行って露出値を演算しＡＥロック処理を行う。ミラー駆動装置２２を制御してメインミラー７，サブミラー１２をミラーアップする。ついでブラケッティングが設定されていると判断した場合、適正露出となる絞り，露光時間を設定し、所定時間、その露出条件の画像を表示装置１６に表示する。同様に露出オーバー，露出アンダーの順序で所定時間画像を表示する。撮影者はブラケッティングモードで画像を確認し、確認した画像についてレリーズＳＷをオンすれば、その露出値で撮影できる。【選択図】        図１
2005033393.tif 000002
【特許請求の範囲】
【請求項１】
撮像素子と、前記撮像素子に露光された画像データを表示する表示装置と、
撮影の際の被写体像を確認するための光学ファインダと、前記光学ファインダへ被写体像を反射して導く反射位置と撮像素子へ被写体光を導くために待避する退避位置との間で可動する反射ミラーとを備え、
モード切替スイッチが操作されたことを検知して前記反射ミラーを前記退避位置まで駆動し、所定の露光条件により撮像素子に露光された画像データを、前記表示装置に表示する電子プレビュー機能を有するディジタル一眼レフカメラであって、
該ディジタル一眼レフカメラはさらに、
露光条件の一部を所定量ずらして撮影を行うブラケッティング撮影設定手段と、
該ブラケティング撮影機能と前記電子プレビュー機能とが共に設定された場合には、ブラケッティング撮影に用いられる露光条件を切替えて所定の間隔で前記表示装置に表示する制御手段と、
を有することを特徴とするディジタル一眼レフカメラ。
【請求項２】
請求項１記載のディジタル一眼レフカメラにおいて、
撮影指示信号が送出されたときには、現在、前記表示装置に表示中の画像と同じ露光条件で撮影を行う撮影制御手段を有することを特徴とするディジタル一眼レフカメラ。
【請求項３】
請求項１または２記載のディジタル一眼レフカメラにおいて、
前記所定の間隔を変更できる表示時間設定手段を有することを特徴とするディジタル一眼レフカメラ。
【発明の詳細な説明】
【０００１】
【発明の属する技術分野】
本発明は、ディジタルカメラ、さらに詳しくいえば、撮影前に画像確認をするプレビュー機能と露出条件を所定量順次ズラして撮影を行うブラケッティング機能を有し、ブラケッティングの結果のプレビューを行うのに適したディジタル一眼レフカメラに関する。
【０００２】
【従来の技術】
従来のディジタル一眼レフカメラは、撮影前に絞り，シャッタタイム等の違いによる撮影画像の変化を見ることができない。撮影した画像を確認する場合には、撮影後に撮影画像を表示装置に再生させることとなる。再生した画像が撮影者の撮影意図と異なる場合には、この画像を破棄し、シャッタ速度，絞りなどを変えて再度撮影を行うことができる。
この記録画像を確認する方法は、撮影の後に再生操作が必要であり操作上の煩わしさが存在する。また、一旦記録してからの再生であるので、記録媒体の記憶領域を消費するという問題があった。
【０００３】
また、意図した画像を撮影する方法として、設定された露出条件を所定量順次ずらしながら連続撮影を行うブラケッティング撮影を行い、撮影された画像の中から最も撮影者のイメージを反映した画像を選択する方法がある。
さらに撮影前に画像を確認するものとして特許文献１が提案されている。
この提案は、一眼レフタイプの電子カメラにおいて、光学ファインダとＬＣＤ画像表示部にファインダとしての機能を与え、いずれかを選択できるようにするもので、ＬＣＤ画像表示部をファインダとした場合、ミラーアップして被写体光を撮像素子に入射させＬＣＤ画像表示部に表示する。
特許文献１のＬＣＤ画像表示機能は被写体の構図，配置などが良いか否かを確認するものであり、実際の撮影画像とは異なる。そのため、実際に撮影する画像と同じ画像をＬＣＤ画像表示部で確認することは出来ない。
【特許文献１】
特開２００１−２２２０５９号公報
【０００４】
【発明が解決しようとする課題】
そこで意図した画像を確実に撮影するため本件出願人は、撮影前に撮影時と同じ露光条件で画像を確認できる電子プレビュー機能を提案している（特願２００３−１７６８３４）。
この機能を用いれば、意図した画像を撮影するには極めて有効であり、絞り値の違いによる背景のボケ具合や、露光時間の違いによる像の流れ具合が撮影前に確認でき、撮影意図を持って絞り，露光時間を選択しその効果を確認した上で撮影することが可能になる。
この電子プレビュー動作中にブラケッティング動作を可能にして、設定された所定のずらし量が意図した効果になるか撮影前に確認できることは同様に撮影に有効である。しかしながら、電子プレビュー動作中、連続的に所定量ずつ露出条件をズラして、その画像を表示すると、画像確認中に次の画像に切替わってしまい好ましくない。
【０００５】
本発明の目的は、撮影前にシャッタ，絞り等の画に対する効果を画像として確認できるプレビュー機能と、露出条件を所定量順次ズラして撮影を行うブラケッティング機能を有し、ブラケッティング設定中のプレビュー動作において画像確認に十分な所定時間経過後に露出条件をずらしてブラケッティング効果確認が可能であり、ブラケッティングの各種条件の中で最も撮影意図にあった画像表示中に撮影指示（レリーズ）があった場合その条件で撮影可能なディジタル一眼レフカメラを提供することにある。
【０００６】
【課題を解決するための手段】
前記目的を達成するために請求項１記載の発明は、撮像素子と、前記撮像素子に露光された画像データを表示する表示装置と、撮影の際の被写体像を確認するための光学ファインダと、前記光学ファインダへ被写体像を反射して導く反射位置と撮像素子へ被写体光を導くために待避する退避位置との間で可動する反射ミラーとを備え、モード切替スイッチが操作されたことを検知して前記反射ミラーを前記退避位置まで駆動し、所定の露光条件により撮像素子に露光された画像データを、前記表示装置に表示する電子プレビュー機能を有するディジタル一眼レフカメラであって、該ディジタル一眼レフカメラはさらに、露光条件の一部を所定量ずらして撮影を行うブラケッティング撮影設定手段と、該ブラケティング撮影機能と前記電子プレビュー機能とが共に設定された場合には、ブラケッティング撮影に用いられる露光条件を切替えて所定の間隔で前記表示装置に表示する制御手段とを有することを特徴とする。
請求項２記載の発明は、請求項１記載の発明において、撮影指示信号が送出されたときには、現在、前記表示装置に表示中の画像と同じ露光条件で撮影を行う撮影制御手段を有することを特徴とする。
請求項３記載の発明は、請求項１または２記載の発明において前記所定の間隔を変更できる表示時間設定手段を有することを特徴とする。
【０００７】
【作用】
前記構成によれば、電子プレビュー中のブラッケッティング設定による表示が可能であり、所定量ずらした露光条件の画像を順番に十分な時間をもって確認でき、撮影者が電子プレビューで決めた露光条件の画像のみを撮影することができる。
【０００８】
【発明の実施の形態】
以下、図面を参照して本発明の実施の形態について説明する。
図１は、本発明によるディジタル一眼レフカメラの実施の形態を示す概略図、図２は、カメラ本体機構のレイアウトを説明するための断面図であり、両図には本発明に直接関連する部分のみが記載されている。
ディジタル一眼レフカメラ１は、カメラ本体１ａと交換レンズ１ｂより構成され、交換レンズ１ｂのカメラ本体１ａへの装着によって交換レンズ１ｂ内のＣＰＵ６とカメラ本体１ａ内のＣＰＵ２１は通信可能となる。
ＣＰＵ６は、フォーカスレンズ２および絞り３をＡＦモータ４および絞りモータ５によってそれぞれ駆動制御する。
【０００９】
図示しない被写体からの反射光は、交換レンズ１ｂを通りメインミラー７で反射してフォーカシングスクリーン３４（図２参照）上に結像する。フォーカシングスクリーン３４上の被写体像はペンタプリズム８で接眼レンズ３２に導かれるとともに正立像に変換される。ペンタプリズム８を経由した被写体像の一部は測光センサ９に導かれる。光学ファインダ１０に入射した被写体像はアイピースシャッタ１１を通過して図示しない撮影者の目に入射する。光学ファインダ１０の接眼レンズ３２（図２参照）によって撮影者は被写体の正立虚像を観察することができる。
【００１０】
一方、メインミラー７に入射する被写体光の一部はサブミラー１２まで達し、該サブミラー１２で下部に導かれＡＦモジュール内（図２参照）のＡＦセンサ１９に入射する。測距演算装置２０はＡＦセンサ１９からのデータに基づき被写体像とのデフォーカス量を演算する。ＣＰＵ２１は求めたデフォーカス量より合焦位置までのレンズ駆動データを導き出し、このデータをＣＰＵ６に転送する。ＣＰＵ６は転送データにしたがってＡＦモータ４を駆動制御しフォーカスレンズ２を合焦位置にもたらす。
【００１１】
測光センサ９からの測光値は露出演算装置２５に入力され、該露出演算装置２５で露出値が演算される。ＣＰＵ２１はこの露出値によって適正露光量になるように絞り値を決定する。この絞り値データはＣＰＵ６に転送され、該ＣＰＵ６は絞り３が決定された絞り値になるように絞りモータ５を駆動制御する。
通常の撮影では、ＣＰＵ２１はレリーズスイッチ２６から撮影信号が入力すると、ＡＥロック処理を行い、撮像素子１３をオンしミラー駆動装置２２を制御する。ミラー駆動装置２２はミラーアップモータ２３を駆動してメインミラー７および該メインミラーの裏側に配置されているサブミラー１２をミラーボックス上部に退避させる。
【００１２】
そしてシャッタ３３（図２参照）を開放し、被写体光を撮像素子１３上に結像させる。撮像素子制御装置２４はＣＰＵ２１の制御の基に適正露出対応のタイミング（シャッタ速度），ゲイン（ＩＳＯ感度）を設定し撮像素子１３に結像した画像データの電荷を読み出す制御を行う。撮像素子１３はプログレッシブタイプのＣＣＤであり、受光窓で受けた電荷は全画素同時に遮光部に移されてから電荷転送されるためシャッタ３３が開いている状態で転送しても比較的良好な画像が得られるものである。
撮像素子１３から読み出された画像データは画像処理装置１４で所定の処理が行われ記憶装置１７に転送される。記憶装置１７はこの画像を一時蓄積し所定のファイル形式で記録媒体１８に記録する。
画像処理装置１４で処理された画像は、表示データ処理装置１５にも送られ、表示用形式に変換処理され表示装置（ＬＣＤ）１６に表示される。
【００１３】
撮影者は、この撮影画像を確認し、満足できる画像でない場合、削除することができる。削除は各種設定スイッチ３１の操作により行うことができる。ＣＰＵ２１は各種設定スイッチ３１より削除指示の信号を受信すると、表示装置１６に表示されている撮影画像を記録媒体１８より消去する。
なお、撮像素子１３からの読み込みが行われると、シャッタ３３は閉じ、メインミラー７およびサブミラー１２は元の位置に復帰する。
【００１４】
電子プレビュー機能を用いた撮影では、ＣＰＵ２１は電子プレビュースイッチ２８からプレビュー信号が入力すると、アイピースシャッタ駆動モータ３５を制御してアイピースシャッタ１１を閉じる。その後、通常撮影と同様に測光センサ９，露出演算装置２５により露出演算が行われ、ＣＰＵ２１は、その露出値のＡＥロック処理を行い撮像素子１３をオンし、ミラー駆動装置２２を制御してメインミラー７，サブミラー１２を退避させシャッタ３３の開処理を行う。
ＣＰＵ２１は、撮像素子制御装置２４を制御してタイミング（シャッタ速度）およびゲイン（ＩＳＯ感度）を設定する。
【００１５】
そして結像された画像データの電荷を撮像素子１３から読み出す制御を行う。撮像素子１３から読み出された画像データは画像処理装置１４で所定の処理が行われ表示データ処理装置１５に送られ、表示用形式に変換処理され、表示装置（ＬＣＤ）１６に表示される。つぎに各種設定の読み込みを行い制御値を演算する。レリーズがなされず，プレビューがオフされない限り，この表示動作が例えば１秒間に３回程度繰り返される。
【００１６】
電子プレビュー機能により、撮影者は、撮影する前に実際にシャッタ速度を順番に変えそれぞれのシャッタ速度での画像を観察することができるため、どのシャッタ速度が希望する画像であるかを予め確認できる。絞りについても順番に絞っていき、画像の焦点深度を確認し、希望する絞りを選択することが可能である。その他にホワイトバランス，露出補正量，プログラムシフト量，増幅率についても同様に確認することができる。
電子プレビュー状態でレリーズスイッチ信号が入力すると、タイミング，ゲイン設定を行い、撮像素子１３から画像データを読み出し、画像処理装置１４で所定の処理した後、記憶装置１７を介して記録媒体１８に画像を格納する。
【００１７】
ブラケッティング設定ダイヤル２９は、適正，オーバー露出およびアンダー露出の３つの露光量の画像を撮影するときに設定されるもので、ある値のオーバー，アンダー値を設定した場合、そのブラケッティング信号がＣＰＵ２１に送出される。電子プレビュー機能と同時にブラケッティング設定がなされている場合には、ＣＰＵ２１は撮像素子制御装置２４によってそれぞれ適正露出，オーバ露出，アンダー露出となる絞り，露光時間（シャッタ時間）を設定し、各露出値での画像表示を所定時間ずつ行う。この所定時間は、その露出値での画像を撮影者が確認するに十分な時間であり、ブラケッティング設定しないときの電子プレビューのときに設定された露出条件を繰り返し表示する間隔と同じか、または長い間隔で表示される。
【００１８】
フォーカススイッチ２７は、フォーカスボタンが押されたとき、フォーカス信号をＣＰＵ２１に送出するものである。ＣＰＵ２１は測距演算装置２０で演算された距離データからデフォーカス量を求め、ＣＰＵ６を介してＡＦモータを駆動しフォーカスレンズ２を合焦位置にもたらす。
コマンドダイヤル３０は、いわゆる電子ダイヤルで、後述の露出補正設定ボタン４２，ＩＳＯ設定ボタン４３およびＷＢ設定ボタン４４と組み合わせて各設定などを選択するためのものである。
【００１９】
図３は、図１のディジタル一眼レフカメラのスイッチボタン類の配置を説明するための外観図である。
ディジタル一眼レフカメラ１の右上面にはカメラ情報を表示するＬＥＤパネル４６，レリーズボタン３５が配置され、その前面側にはコマンドダイヤル４５が設けられている。左上面には露出補正設定ボタン４２，ＩＳＯ設定ボタン４３およびＷＢ設定ボタン４４が配置されている。露出補正設定ボタン４２を押し、コマンドダイヤル４５を操作することにより例えばＥＶ値±１／３，±１／２，±１．０・・・に調整可能である。ＩＳＯ設定ボタン４３を押し、コマンドダイヤル４５を操作することにより例えばＩＳＯ５０，１００，２００，４００，８００・・・に調整可能である。ＷＢ設定ボタン４４を押し、コマンドダイヤル４５を操作することにより例えばＡＵＴＯ，ストロボ光，蛍光光，８２００Ｋ・・・に調整可能である。
【００２０】
ディジタル一眼レフカメラ１の背面中央付近には表示装置（ＬＣＤ）３９が設けられ，その上部に光学ファインダ４０が配置されている。
表示装置（ＬＣＤ）３９の下側にはブラケッティング設定ダイヤル２９が設けられている。ダイヤルを回転させることにより、露出値のオーバー，アンダーを±１／３，±１／２および±１．０刻みで設定することができる。表示装置（ＬＣＤ）３９の右側には電子プレビューボタン３７が配置されている。さらにその右上にフォーカスボタン３６が配置されている。
各種設定ボタン４１は表示装置（ＬＣＤ）３９の左側に配置されている。
【００２１】
以下、図４を用い撮影シーケンスに従ってブラケッティング設定が可能な電子プレビュー機能を用いた撮影と通常撮影の動作の流れを説明する。
撮影者は各種設定ボタン４１を用いて露出モードを設定することができる。絞り優先，シャッタ優先，プログラム，マニュアルなどのモードである。絞り優先およびシャッタ優先モードの場合、絞りおよびシャッタ速度をそれぞれマニュアルで選択でき、電子プレビュー中に絞りおよびシャッタ速度を変更したときは、その変更した撮影画像を観察できる。プログラムモードの場合、電子プレビュー中であるときは、ロックしたＡＥ値に併せてプログラムがシフトする。マニュアルモードの場合は、設定したシャッタ速度，絞りなどを反映した撮影画像がプレビューできる。なお、ブラケッティング設定は電子プレビューを行う前であっても、電子プレビュー中でも良い。
【００２２】
ＣＰＵ２１はまず露出モードを読み込む（ステップ（以下「Ｓ」という）００１）。つぎに、測光制御，露出演算を行い（Ｓ００２，Ｓ００３）、電子プレビューボタンが押されたか否かを判断する（Ｓ００４）。電子プレビューボタン２８が押された場合、アイピースシャッタを閉じて測光し露出演算してＡＥロック処理を行い（Ｓ００５）、撮像素子オン処理，ミラーアップ処理，シャッタ開処理が行われる（Ｓ００６，Ｓ００７）。
つぎに、ＣＰＵ２１はブラケッティングが設定されているか否かを判断する（Ｓ００８）。ブラケッティング設定されていない場合には、上記Ｓ００１で読み込んだ露出モードでの電子プレビューとなる。
ブラケッティング設定されている場合には、適正露出になるようにＣＰＵ６を介して絞りモータ５により絞り３を設定するとともに撮像素子制御装置２４によって撮像素子１３に対しシャッタ時間（露光時間）を設定する（Ｓ００９，Ｓ０１０）。
【００２３】
つぎに、撮像素子１３で露光処理を行い、その画像データを画像処理装置１４に転送し、表示データ処理装置１５により表示用形式に変換して表示装置１６に画像表示を行う（Ｓ０１１）。この適正露出の画像が意図するものであれば、撮影者はレリーズボタン３５を押すこととなる。レリーズＳＷ２６がオンすればＳ０３７に移行し、撮像素子１３上の被写体像の露光制御行い、シャッタ閉制御を行い（Ｓ０３８）、その画像データを画像処理装置に転送し（Ｓ０３９）、記録装置１７によって記録処理を行い撮影画像を記録媒体１８に格納する（Ｓ０４０）。その後メインミラー７，サブミラー１２を反射位置に復帰させる。
【００２４】
Ｓ０１２においてレリーズＳＷ２６がオフ状態てあれば、つぎに電子プレビューがオフされたか否かを判断する（Ｓ０１２，Ｓ０１３）。電子プレビューボタン３７から指が離され電子プレビューＳＷ２８がオフした場合にはＣＰＵ２１はミラー復帰動作を行った（Ｓ０２８）後、露出モード読み込み（Ｓ００１）に戻る。
電子プレビューボタン３７が押されている状態であれば、画像を確認するための所定の時間が経過したか否かを判断する（Ｓ０１４）。この所定時間は例えば１秒，２秒などであり、各種設定ボタン４１により変更可能である。
【００２５】
所定時間が経過していなければ、Ｓ０１１に戻り画像表示処理を繰り返す。
所定時間経過した場合には、今度はブラケッティング設定ダイヤル２９で設定されたオーバ露出になるようにＣＰＵ６を介して絞りモータ５により絞り３を設定するとともに撮像素子制御装置２４によって撮像素子１３に対しシャッタ時間（露光時間）を設定する（Ｓ０１５，Ｓ０１６）。
以降のＳ０１５〜Ｓ０２０のオーバー露出に対する電子プレビュー動作は、上記Ｓ０１０〜Ｓ０１４までの適正露出に対するものと同じであるので、その説明を省略する。
【００２６】
Ｓ０２０において所定時間経過した場合には、今度はブラケッティング設定ダイヤル２９で設定されたアンダー露出になるようにＣＰＵ６を介して絞りモータ５により絞り３を設定するとともに撮像素子制御装置２４によって撮像素子１３に対しシャッタ時間（露光時間）を設定する（Ｓ０２１，Ｓ０２２）。
以降のＳ０２２〜Ｓ０２６のアンダー露出に対する電子プレビュー動作も、上記Ｓ０１０〜Ｓ０１４までの適正露出に対するものと同じであるので、同様にその説明を省略する。
Ｓ０２６において所定時間経過した場合には適正露出，オーバー露出，アンダー露出の画像の表示が終了したこととなり、依然として電子プレビューボタン３７が押されているか否かを判断する（Ｓ０２７）。
【００２７】
電子プレビューボタン３７が押されている場合にはＳ００９に戻り、再度適正露出，オーバー露出，アンダー露出の表示を繰り返す。
電子プレビューボタン３７から指が離された場合には、電子プレビューは完了しミラーが復帰し（Ｓ０２８）、Ｓ００１の露出モード読み込みに戻る。
【００２８】
一方、Ｓ００８に戻ってブラケッティング設定されていないと判断された場合には、Ｓ００１で読み込んだ露出モードでの電子プレビューとなる。
ＣＰＵ２１は適正露出になるようにＣＰＵ６を介して絞りモータ５により絞り３を設定するとともに撮像素子制御装置２４によって撮像素子１３に対しシャッタ時間（露光時間）を設定する（Ｓ０２９，Ｓ０３０）。ついで、撮像素子１３が露光処理を行い、その画像データを画像処理装置１４に転送し、表示データ処理装置により表示用形式に変換して表示装置１６に画像表示を行う（Ｓ０３１）。この適正露出の画像が意図するものであれば、撮影者はレリーズボタン３５を押すこととなる。レリーズＳＷ２６がオンすればＳ０３７〜Ｓ０４１の撮影動作に移行する。レリーズＳＷ２６がオフ状態であれば、つぎに電子プレビューがオフされたか否かを判断する（Ｓ０３２，Ｓ０３３）。電子プレビューボタン３７から指が離され電子プレビューＳＷ２８がオフした場合にはＣＰＵ２１はミラー復帰動作を行った（Ｓ０２８）後、Ｓ００１の露出モード読み込みに戻る。
なお、Ｓ０２９〜Ｓ０３３の間に露出モードの設定変えがなされた場合には、設定変えされた露出モードでの電子プレビュー動作も可能である。
【００２９】
また、Ｓ００４に戻り電子プレビューボタンが押されていないと判断した場合、通常の撮影モードに入ることとなる。ＣＰＵ２１はつぎにレリーズボタンが押された否か判断し、押されていなければ、Ｓ００１の露出モード読み込みに戻り、押されていればミラー退避，シャッタ開制御を行う（Ｓ０３５，Ｓ０３６）。そしてＳ０３７〜Ｓ０４１で撮影，記録し、ミラーを反射位置に復帰させて撮影を完了する。
【００３０】
以上、ブラケッティング設定されたときの電子プレビューに注目してその動作を説明したが、電子プレビュー中にホワイトバランス（ＷＢ）を変えた場合はそのＷＢゲインで露光制御する。また実施例では露出のブラケティング設定時について説明したがＩＳＯ感度のブラケティング，ＷＢを変化させるＷＢのブラケティングでも、この発明を適用することができる。さらに、この実施の形態では画像を確認のための所定時間を１秒，２秒などとしたが、これに限定されるものではなく、短い方は１秒より短くても良く、例えば０．３秒，０．５秒などに設定可能である。長い方は３秒〜１０秒，さらには１０秒以上に設定することも可能である。
【００３１】
【発明の効果】
以上、説明したように本発明によれば、撮影前に撮影意図を持って設定したシャッター速度，絞り値の効果が画像として確認できるプレビュー動作を行い、露出条件を順次ずらし撮影するブラケッティング動作が設定されている場合、ズラし量の設定が撮影意図に適切かどうかを撮影前に確認可能であり、意図した効果がある条件で撮影可能なディジタル一眼レフカメラを実現することができる。
【図面の簡単な説明】
【図１】本発明によるディジタル一眼レフカメラの実施の形態を示す概略図である。
【図２】カメラ本体機構のレイアウトを説明するための断面図である。
【図３】図１のディジタル一眼レフカメラのスイッチボタン類の配置を説明するための外観図である。
【図４】本発明によるディジタル一眼レフカメラの撮影動作を説明するためのフローチャートである。
【符号の説明】
１  ディジタル一眼レフカメラ
２  フォーカスレンズ
３  絞り
４  ＡＦモータ
５  絞りモータ
６，２１  ＣＰＵ
７  メインミラー
８  ペンタプリズム
９  測光センサ
１０  光学ファインダ
１１  アイピースシャッタ
１２  サブミラー
１３  撮像素子
１４  画像処理装置
１５  表示データ処理装置
１６  表示装置（ＬＣＤ）
１７  記憶装置
１８  記録媒体
１９  ＡＦセンサ
２０  測距演算装置
２２  ミラー駆動装置
２３  ミラーアップモータ
２４  撮像素子制御装置
２５  露出演算装置
２６  レリーズスイッチ
２７  フォーカススイッチ
２８  電子プレビュースイッチ
２９  ブラケッティング設定ダイヤル
３０  コマンドダイヤル（電子ダイヤル）
３１  各種設定スイッチ
【図１】
2005033393.tif 000003
【図２】
2005033393.tif 000004
【図３】
2005033393.tif 000005
【図４】
2005033393.tif 000006